(57)【特許請求の範囲】
【請求項１】
複数の測距エリアのうちの選択された測距エリアに合焦可能なカメラにおけるファインダーの視野内に、前記選択された測距エリアの位置を示す選択測距エリア表示を被写体像に重ねて表示する測距エリア表示手段と、
前記カメラが連写撮影を行う場合、前記選択測距エリア表示の輝度を、前記連写撮影時以外における輝度よりも高くなるように調整する輝度調整手段と、を備える表示装置。
【請求項２】
請求項１に記載の表示装置であって、
前記輝度調整手段は、前記連写撮影の連写速度が速いほど前記選択測距エリア表示の輝度が高くなるように調整することを特徴とする表示装置。
【請求項３】
請求項１又は２に記載の表示装置であって、
前記視野内における前記選択測距エリア表示が含まれる領域の被写体像の輝度を測光する測光手段を備え、
前記連写撮影時以外における前記選択測距エリア表示の輝度が、前記測光手段により測光された前記領域の被写体像の輝度に基づいて決定されることを特徴とする表示装置。
【請求項４】
請求項３に記載の表示装置であって、
前記測光手段による測光が断続的に行われ、
前記輝度調整手段による前記選択測距エリア表示の輝度の調整が、前記測光手段による、前記連写撮影が終了した次の測光の際に終了することを特徴とする表示装置。
【請求項５】
請求項１〜４のいずれか１項に記載の表示装置を備えたカメラ。
【発明の詳細な説明】
【技術分野】
【０００１】
本発明は、表示装置及びそれを備えるカメラに関する。
【背景技術】
【０００２】
従来、複数の測距エリアのうちの選択された測距エリアに合焦可能なカメラが存在する。そのようなカメラにおいて、ファインダー視野内に、選択された測距エリアの位置を示す測距エリア表示を被写体像に重ねて表示するスーパーインポーズ方式が提案されている（例えば、特許文献１参照）。このスーパーインポーズ方式では、測距エリア表示と重なる被写体像の明るさの影響で、測距エリア表示が見えなくなることを防止するために、ファインダー視野内の領域を複数に分割し、選択された測距エリア表示を含む領域内の被写体輝度を検出し、その被写体輝度に応じて測距エリア表示の表示輝度を制御している。
【特許文献１】特開平３−６５９３９号公報
【発明の開示】
【発明が解決しようとする課題】
【０００３】
しかし、連写撮影を行う場合、ミラーアップしている間はファインダー視野内の被写体像の表示が消え、これとともに測距エリア表示も消える。したがって測距エリア表示が表示されている時間が断続的になり、測距エリア表示が連写撮影時以外の場合と同じ輝度を有していても、連写撮影時においては見にくく感じる。
【０００４】
本発明の課題は、連写撮影時においても、ファインダー内における測距エリア表示を見やすくすることである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、複数の測距エリアのうちの選択された測距エリアに合焦可能なカメラ（１００）におけるファインダーの視野内に、前記選択された測距エリアの位置を示す選択測距エリア表示（２００ａ）を被写体像に重ねて表示する測距エリア表示手段（７２，１１１）と、前記カメラ（１００）が連写撮影を行う場合、前記選択測距エリア表示（２００ａ）の輝度を、前記連写撮影時以外における輝度よりも高くなるように調整する輝度調整手段（７４，１１１）と、を備える表示装置（１）である。
請求項２に記載の発明は、請求項１に記載の表示装置（１）であって、前記輝度調整手段（７４，１１１）は、前記連写撮影の連写速度が速いほど前記選択測距エリア表示（２００ａ）の輝度が高くなるように調整することを特徴とする表示装置（１）である。
請求項３に記載の発明は、請求項１又は２に記載の表示装置（１）であって、前記視野内における前記選択測距エリア表示（２００ａ）が含まれる領域の被写体像の輝度を断続的に測光する測光手段（１１２）を備え、前記連写撮影時以外における前記選択測距エリア表示（２００ａ）の輝度が、前記測光手段（１１２）により測光された前記領域の被写体像の輝度に基づいて決定されることを特徴とする表示装置（１）である。
請求項４に記載の発明は、請求項３に記載の表示装置（１）であって、前記測光手段による測光が断続的に行われ、前記輝度調整手段（７４，１１１）による前記選択測距エリア表示（２００ａ）の輝度の調整が、前記測光手段による、前記連写撮影が終了した次の測光の際に終了することを特徴とする表示装置（１）である。
請求項５に記載の発明は、請求項１〜４のいずれか１項に記載の表示装置（１）を備えたカメラ（１００）である。
なお、符号を付して説明した構成は、適宜改良してもよく、また、少なくとも一部を他の構成物に代替してもよい。
【発明の効果】
【０００７】
本発明によれば、連写撮影時において、ファインダー内における測距エリア表示を見やすくすることができる。
【発明を実施するための最良の形態】
【０００８】
以下、図面等を参照して、本発明の実施形態について説明する。図１は本発明の実施形態の表示装置１を含むカメラ１００の概略図である。なお、図１においては、説明と理解を容易にするために、ｘｙｚ直交座標系を設けた。この座標系では、撮影者が光軸Ｌを水平として横長の画像を撮影する場合のカメラ１００の位置（以下、通常の撮影位置という）において撮影者から見て左側に向かう方向をｘプラス方向とする。また、通常の撮影位置において上側に向かう方向をｙプラス方向とする。さらに、通常の撮影位置において被写体に向かう方向をｚプラス方向とする。
【０００９】
カメラ１００は、レンズ交換式のデジタルカメラであり、光軸Ｌに沿って、撮影レンズ１０、ミラー部２０、撮像部３０を備える。さらに、撮影レンズ１０に入射した光のうちの、ミラー部２０によって図中下方に向けられた光が入射する焦点検出部４０と、ミラー部２０によって図中上方に向けられた光が入射するファインダー部５０と、を備える。
【００１０】
撮影レンズ１０は、カメラ本体１００ａに対して交換可能なレンズであり、絞り１１を備える。ミラー部２０は、撮影レンズ１０の射出側に配置され、メインミラー２１及びサブミラー２２を備える。メインミラー２１は、撮影レンズ１０を通過した光をファインダー部５０に向けて反射する。メインミラー２１は、その一部がハーフミラーとなっており、光の一部を透過させる。また、メインミラー２１は、撮影時にレリーズボタン（図示せず）が押されると、反射面が光軸Ｌに対して略平行となるミラーアップ位置に退避する。サブミラー２２は、メインミラー２１のハーフミラー部分を透過した光の進路を屈曲させて焦点検出部４０に反射させる。
【００１１】
撮像部３０は、シャッター３１、ＬＰＦ（Ｌｏｗ−Ｐａｓｓ  Ｆｉｌｔｅｒ）３２及び撮像素子３３を備える。シャッター３１は、後述するＭＣＵ１０１からの信号によりシャッタースピードが制御される。撮像素子３３は、撮影レンズ１０が結像した像を電気信号に変換するＣＣＤやＣＭＯＳ等である。また、撮像素子３３の後部には基板３４が配置され、基板３４には、カメラ１００の全体制御を行うＭＣＵ１０１及び後述する各種回路が配置されている。さらに、カメラ１００本体の撮影者側背面には、背面液晶モニタ３５が配置されている。
【００１２】
焦点検出部４０には、焦点検出用センサー４１が配置され、メインミラー２１から分岐された光は、サブミラー２２によって反射されて焦点検出用センサー４１に入射される。焦点検出用センサー４１の前方にはモータ及び連結ギア、カップリングで構成されるレンズ駆動装置４２が配置されている。
【００１３】
ファインダー部５０は、フォーカシングスクリーン５１、拡散型液晶５２、ペンタプリズム５３、第１ダイクロイックプリズム５４、第２ダイクロイックプリズム５５及び接眼レンズ５６を備える。
【００１４】
撮影レンズ１０を通過した被写体光は、メインミラー２１によって図１のｙプラス方向に反射され、フォーカシングスクリーン５１上に一旦結像される。フォーカシングスクリーン５１上で結像された被写体光は、高速撮影時のクロップを行うための拡散型液晶５２を透過し、ペンタプリズム５３、及びペンタプリズム５３に接着された第１ダイクロイックプリズム５４及び該第１ダイクロイックプリズム５４に接着された第２ダイクロイックプリズム５５を通り、さらに複数のレンズより構成される接眼レンズ５６を経てファインダー５７に導かれる。
【００１５】
第１ダイクロイックプリズム５４の射出面上部には被写体光輝度を測定するための公知のプリズム６０、測光レンズ６１、及び測光センサー６２が配置されており、測光センサー６２はフレキシブルプリント基板（図示せず）によりカメラ本体１００ａにおける基板３４に設けられた測光回路１１２に接続されている。測光センサー６２は、撮影画面を、分割されたブロックごとに測光可能となっている。
【００１６】
第１ダイクロイックプリズム５４の上部（ｙプラス側）には投影レンズ７０、方向を変えるための折り返しミラー７１、後述する測距エリア表示２００が形成された透過型液晶７２、照明レンズ７３、及び透過型液晶７２の光源であるＬＥＤ７４が配置されている。透過型液晶７２は電気シャッターの機能も有しており、後述する５１個の測距エリア表示２００の中から、選択された選択測距エリア表示２００ａのみ、ＬＥＤ７４からの光を透過させ、その光は投影レンズ７０で拡大され、第１ダイクロイックプリズム５４に入射する。
【００１７】
ペンタプリズム５３の下部には、ファインダー内表示液晶８０及びファインダーバックライト８１が配置されている。ファインダー内表示液晶８０はファインダー５７内における後述するファインダー視野５７ａの下部に、撮影に関する露出制御値、露出モード、露出補正値等のさまざまな情報を表示する。ファインダーバックライト８１は、ファインダー内表示液晶８０を照明するためのものである。
【００１８】
図２は本発明のカメラ１００のシステム構成を示すブロック図である。ＭＣＵ１０１は、カメラ１００の全体的な制御を行うものであり、以下に述べる各種制御回路が接続されている。
【００１９】
Ａ／Ｄ変換回路１０３は、撮影レンズ１０より入射して撮像素子３３から出力された電気信号をＡ／Ｄ変換する。タイミング回路１０４は、撮像素子３３及びＡ／Ｄ変換回路１０３を所定の動作タイミングで駆動する。画像処理制御回路１０５は、Ａ／Ｄ変換回路１０３から出力された画像データに対して各種画像補正及び各色の画像データに対して補間処理を行う。ＳＤＲＡＭ１０６は、この補間処理されたデータを一時的に記憶するメモリである。画像用記録媒体１０７は、インターフェース（図示せず）を介して画像処理制御回路１０５に接続されており、撮影データと画像データとを記録する。背面液晶モニタ制御回路１０８は、背面液晶モニタ３５を制御する。
【００２０】
クロップ表示回路１０９は、拡散型液晶５２を制御する回路である。露出制御回路１１３は、後述する測光回路１１２から得られた被写体の輝度及び撮像感度からシャッタースピードと撮影レンズ１０の絞り値を演算してシャッター制御部１１４と絞り制御部１１５を制御する。シャッター制御部１１４は、シャッター３１を制御し、また絞り制御部１１５は撮影レンズ１０の絞り１１を制御する。レンズ情報入力部１１６は、装着された撮影レンズ１０から開放絞り値、焦点距離、射出瞳等の情報をカメラ本体１００ａへ通信する。
【００２１】
焦点検出回路１１７は、図１のカメラ１００底部にあるオートフォーカスのための焦点検出用センサー４１から得られた出力をＡ／Ｄ変換してＭＣＵ１０１に出力する。レンズ駆動回路１１８は、レンズ情報入力部１１６と焦点検出回路１１７により得られえた制御結果を基に撮影レンズ１０を駆動してオートフォーカスさせるための回路である。モード設定回路１１９は、露出、オートフォーカス、画像等のさまざまなモードを設定する。設定操作部材１２０は、カメラ１００に対する設定操作を行うスイッチであり、設定操作に応じた操作信号をＭＣＵ１０１へ出力する。ＳＷ１は、レリーズボタンの第１ストロークに連動する半押しスイッチであり、ＳＷ２は、レリーズボタンの第２ストロークに連動する全押しスイッチである。
【００２２】
図３はファインダー５７内の画像を示した図である。図示するように、ファインダー５７内には、被写体像を写すファインダー視野５７ａとその外周部に設けられた撮影に関する露出制御値、露出モード、露出補正値等のさまざまな情報を表示するためのファインダー内表示部５７ｂとが設けられている。図２のファインダー内表示制御回路１１０は、ファインダー内表示部５７ｂにこれらの情報を表示するファインダー内表示液晶８０とファインダーバックライト８１を制御する回路である。
【００２３】
また、本実施形態でカメラ１００は、５１個の測距エリアを有している。図４はファインダー視野５７ａ内に５１個の全測距エリア表示２００を示した図である。なお、図４においては、５１個の測距エリア表示２００を全て示すが、ファインダー視野５７ａ内において実際に全ての測距エリア表示２００が点灯することはなく、選択された測距エリアを表示する選択測距エリア表示２００ａのみが図３に示すように点灯する。なお、この選択測距エリア表示２００ａは、レリーズボタン（図示せず）を押したときに一瞬点灯するのではなく、一旦選択されると、変更されるまでその位置で点灯し続ける。
【００２４】
図２に戻り、スーパーインポーズ表示制御回路１１１は、選択測距エリア表示２００ａをファインダー視野５７ａにおいて被写体像と重ねて（スーパーインポーズ）表示する際の制御を行う回路である。スーパーインポーズ表示制御回路１１１は、ファインダー視野５７ａ内に選択測距エリア表示２００ａを表示する上述の透過型液晶７２と、選択測距エリア表示２００ａの表示輝度を変更可能なＬＥＤ７４を制御する。測光回路１１２は測光センサー６２から得られた出力をＡ／Ｄ変換してＭＣＵ１０１に出力する回路であり、撮影画面における分割された領域のそれぞれの輝度を測光可能となっている。なお、本実施形態における表示装置１は、カメラ１００内のスーパーインポーズ表示制御回路１１１、透過型液晶７２、ＬＥＤ７４及び測光回路１１２を含むものである。
【００２５】
また、本実施形態のカメラ１００は、設定操作部材１２０を操作することによりカメラを連写モードに設定し、シャッター制御部１１４を介してシャッター３１の動作を制御して連写撮影を行うことができるカメラである。なお、連写撮影とは、レリーズボタンを押圧している状態で、設定したコマ速度で撮影が連続して行われる撮影をいう。その連写速度には、下の表１に示すように、高速連写と、低速連写とが存在し、さらに低速連写は閾値ＴｈＣＭ以上の第１低速連写と閾値ＴｈＣＭ未満の第２低速連写とが存在し、すなわちカメラ１００は、（１）高速連写撮影、（２）第１低速連写撮影、（３）第２低速連写撮影、及び（４）連写なしの通常の撮影の４つの撮影状態を有する。
【００２６】
【表１】
0005194620.tif 000002
一例として、カメラ１００が最大連写速度において１０コマ／秒が可能な場合、高速の連写コマ速度は８〜１０コマ／秒、第１低速の連写コマ速度は５〜７コマ／秒、第２低速の連写コマ速度は１〜４コマ／秒である。
【００２７】
また、選択測距エリア表示２００ａは、通常の撮影状態である連写撮影時以外においては、測光センサー６２によって測定された選択測距エリア表示２００ａと重なる領域の被写体像の輝度情報をもとに、通常の撮影状態における最適なＥＶ値であるＥＶ０で表示されている。そして、この最適なＥＶ値であるＥＶ０は、カメラ１００が連写撮影を行う場合、ＬＥＤ７４を流れる電流とデューティー比を調整することにより、連写速度に応じて補正される。補正値は、上述の表１に示すように、（１）高速連写、（２）第１低速連写、（３）第２低速連写のそれぞれの場合において異なる。（１）高速連写の場合、補正量はΔＥＶＣＨ、（２）第１低速の場合、補正量はΔＥＶＣＭ、（３）第２低速の場合、補正量はΔＥＶＣＬである。連写速度が速いほど選択測距エリア表示２００ａが表示される時間間隔が短くなって見づらくなるため、これらの補正量ΔＥＶＣＨ、ΔＥＶＣＭ、及びΔＥＶＣＬは、ΔＥＶＣＨ＞ΔＥＶＣＭ＞ΔＥＶＣＬと連写速度が速いほど大きい。
【００２８】
次に、本実施形態の表示装置１を備えるカメラ１００の動作を説明する。図５はカメラ１００の動作を示すフローチャートである。
【００２９】
まず、表示装置１において、選択測距エリア表示２００ａと重なる領域における測光領域の輝度ＢＶの平均値よりその領域の露出値ＥＶを求めて基準値ＥＶ０として選択測距エリア表示２００ａを表示する。次に、図５のフローチャートに従い、カメラ１００は、レリーズボタンが押されたかどうかを判断する（ステップ１、以下ステップをＳで表す）。レリーズボタンが押された場合、連写モードが設定されているかを判断する（Ｓ２）。
【００３０】
連写モードが設定されている場合（Ｓ２，Ｙｅｓ）、連写モードが高速連写モードか低速連写モードかを判断する（Ｓ３）。
高速連写モードの場合（Ｓ３，高速連写）、基準値ＥＶ０に補正値ΔＥＶＣＨを加え、選択測距エリア表示２００ａのＥＶ値の設定を、ＥＶ０＋ΔＥＶＣＨであるＥＶｃｏｒとする（Ｓ４）。そして補正を終了し（Ｓ５）、その補正後の値ＥＶｃｏｒにより選択測距エリア表示２００ａを表示する。
【００３１】
連写モードが低速連写モードの場合（Ｓ３，低速連写）、さらにコマ速度がＴｈＣＭ以上か以下かを判断する（Ｓ６）。
コマ速度がＴｈＣＭ以上の場合（Ｓ６，Ｙｅｓ）、基準値ＥＶ０に補正値ΔＥＶＣＭを加え、選択測距エリア表示２００ａのＥＶ値の設定を、ＥＶ０＋ΔＥＶＣＭであるＥＶｃｏｒとする（Ｓ７）。そして補正を終了し（Ｓ５）、その補正後の値ＥＶｃｏｒにより選択測距エリア表示２００ａを表示する。
【００３２】
連写モードが低速連写モードの場合（Ｓ３，低速連写）で、コマ速度がＴｈＣＭ以下の場合、基準値ＥＶ０に補正値ΔＥＶＣＬを加え、選択測距エリア表示２００ａのＥＶ値の設定を、ＥＶ０＋ΔＥＶＣＬであるＥＶｃｏｒとする（Ｓ８）。そして補正を終了し（Ｓ５）、その補正後の値ＥＶｃｏｒにより選択測距エリア表示２００ａを表示する。
【００３３】
連写モードでない場合（Ｓ２，Ｎｏ）、補正は行わず（Ｓ９）、補正を終了し（Ｓ５）、補正前の値ＥＶ０のまま選択測距エリア表示２００ａを表示する。
【００３４】
図６はカメラ１００の動作を示すタイミングチャートである。高速、第１低速又は第２低速の連写モードが選択された時点ｔ０では、選択測距エリア表示２００ａは、その選択測距エリア表示２００ａと重なる領域における測光領域の輝度ＢＶの平均値よりその領域の露出値ＥＶを求めた基準値ＥＶ０である。
【００３５】
ｔ１においてレリーズボタンが押されると、まず、ミラー部２０がミラーアップ状態になる。それとともに、ファインダー視野５７ａ内において被写体像及び選択測距エリア表示２００ａの表示は消灯する。そして、シャッター３１が開閉し、ミラー部２０がミラーダウンし、次にレリーズボタンを押して最初にファインダー視野５７ａ内に被写体画像が表示されたｔ２において、選択測距エリア表示２００ａが再度表示される。このとき、選択測距エリア表示２００ａは、ＥＶｃｏｒ＝ＥＶ０＋ΔＥＶ（ΔＥＶＣＨ、ΔＥＶＣＭ、又はΔＥＶＣＬ）で、連写速度に応じて、ＥＶ０よりも明るく表示される。
【００３６】
レリーズボタンが押されている間（ｔ１〜ｔ７）、連写は継続する。その間、上述のようにミラーアップとともに選択測距エリア表示２００ａは消灯する（ｔ１〜ｔ２、ｔ３〜ｔ４、ｔ５〜ｔ６）。そして、ミラーダウンとともに測光が行われ、選択測距エリア表示２００ａは補正されたＥＶ値であるＥＶｃｏｒで表示される。ｔ７でレリーズボタンの押圧が解除されると、その解除された次の測光タイミングの終了時ｔ８で補正は終了し、選択測距エリア表示２００ａのＥＶ値は、通常の状態における補正量のないＥＶ０に戻る。
【００３７】
以上、本実施形態によると、以下の効果を有する。
（１）連写撮影を行う場合において、ミラーアップしている間はファインダー視野５７ａ内の被写体像の表示が消え、これとともに選択測距エリア表示２００ａも消灯する。したがって選択測距エリア表示２００ａが表示されている時間は断続的になり、選択測距エリア表示２００ａが連写撮影時以外の場合と同じＥＶ値を有していても、連写撮影時においては見にくく感じる。しかし、本実施形態によれば、カメラ１００が連写撮影を行う場合、選択測距エリア表示２００ａのＥＶ値を、連写撮影時以外におけるＥＶ値よりも大きくなるように調整する。したがって連写撮影時においても、ファインダー５７内における選択測距エリア表示２００ａが見やすくなる。
（２）本実施形態によると、連写撮影の連写速度が速いほど選択測距エリア表示２００ａの輝度は高くなる。したがって連写の速度が速くなり、実質的に選択測距エリア表示２００ａを表示する時間が短くなっても、選択測距エリア表示２００ａが見にくくなることがない。
【００３８】
（変形形態）
以上、説明した実施形態に限定されることなく、種々の変形や変更が可能であって、それらも本発明の範囲内である。
（１）本実施形態では、レリーズボタンを押して最初に表示される際に選択測距エリア表示２００ａのＥＶ値が上がるようにした。しかし、これに限らず、レリーズボタンを押して２回目に表示される際にＥＶ値が上がるようにしてもよい。連写モードで設定されていても、１回の撮影でレリーズボタンを離す場合があり、この場合は単写と同様と考えてよく、選択測距エリア表示２００ａのＥＶ値を上げる必要がないからである。
（２）本実施形態では、レリーズボタンの押圧が解除されたときに、その解除された次の測光タイミングの終了時に補正を終了したが、これに限定されず、レリーズボタンの押圧を解除した時点で、選択測距エリア表示２００ａのＥＶ値を上げる補正が終了するようにしてよい。
（３）本実施形態では、選択測距エリア表示２００ａのＥＶ値を透過型液晶７２の後方に配置されたＬＥＤ７４により制御したが、ＬＥＤに限定されず、例えば電球等の他の光源であってもよい。また光源の数は１灯であってもよく、また複数組み合わせた面光源であってもよい。
（４）本実施形態では、連写撮影として、レリーズボタンを押圧している状態で設定したコマ速度で撮影が連続して行われる撮影について説明したが、本発明はこれに限定されない。例えば、撮影者が１枚づつレリーズボタンを押して撮影を行う場合であっても、例えば所定の時間間隔より短い間隔でレリーズボタンを押圧した場合、選択測距エリア表示の輝度を調整するようにすることもできる。
（５）本実施形態では、ＥＶ値を基に選択測距エリア表示２００ａの輝度を決定したが、これに限定されない。明るさを表すことができれば、ＢＶ値のまま処理を行うこともできる。
なお、実施形態及び変形形態は、適宜組み合わせて用いることもできるが、詳細な説明は省略する。また、本発明は以上説明した各実施形態によって限定されることはない。
【図面の簡単な説明】
【００３９】
【図１】本発明の第１実施形態の表示装置を含むカメラの概略図である。
【図２】本発明のカメラのシステム構成を示すブロック図である。
【図３】ファインダー内の画面を示した図である。
【図４】ファインダー視野内に全測距エリア表示を示した図である。
【図５】カメラの動作を示すフローチャートである。
【図６】カメラの動作を示すタイミングチャートである。
【符号の説明】
【００４０】
５７：ファインダー、５７ａ：ファインダー視野、７２：透過型液晶、７４：ＬＥＤ、１００：カメラ、１１１：スーパーインポーズ表示制御回路、２００：測距エリア表示、２００ａ：選択測距エリア表示
【図１】
0005194620.tif 000003
【図２】
0005194620.tif 000004
【図３】
0005194620.tif 000005
【図４】
0005194620.tif 000006
【図５】
0005194620.tif 000007
【図６】
0005194620.tif 000008